(57)【要約】【課題】  常にしおり体の位置が所望の位置に安定して保持される自動しおりを提供する。【解決手段】  自動しおり１３は１枚の合成樹脂よりなる１枚の矩形状のシートより構成されている。第２ベースシート１６は、第１ベースシート１５に対して第１部分２５ａ，第１部分２５ｂにおいて折り返されている。しおり体１８は、第１部分２５ａ，第１部分２５ｂの間に位置する第２部分２７において、第１ベースシート１５から延びるように構成されている。しおり体１８は、折り目線２３に沿って先端の三角片部２０が第２ベースシート１６の面に沿うように連結部１９の部分で前方下方に折り曲げられている。使用に際しては、第１ベースシート１５と第２ベースシート１６とによって書籍の後方のページシートを挟むように自動しおり１３をセットして使用する。これによって自動しおり１３はそのページシートによって支持されることになり、使用時にずれる虞がない。【選択図】      図１
2005262786.tif 000002
【特許請求の範囲】
【請求項１】
書籍に挟んで使用する自動しおりであって、
シート状の第１ベースシートと、
前記第１ベースシートの端縁の少なくとも一部にその端縁が折り返し自在で接続され、前記第１ベースシートに対向するように配置することができるシート状の第２ベースシートと、
前記第１ベースシートに折り曲げ自在に接続され、前記第２ベースシートに対向する位置に延びるシート状のしおり体とを備えた、自動しおり。
【請求項２】
前記第２ベースシートは前記第１ベースシートの前記端縁において所定距離離れた一対の第１部分に接続され、
前記しおり体は、前記第１ベースシートの前記第１部分の各々の間に位置する第２部分に接続される、請求項１記載の自動しおり。
【請求項３】
前記第１ベースシート、前記第２ベースシート及び前記しおり体は、１枚のシートから前記しおり体に対応する部分を打ち抜くことによって形成される、請求項１又は請求項２記載の自動しおり。
【請求項４】
前記シートは合成樹脂よりなり、
前記しおり体の前記第１ベースシート側の連結部には、折り曲げ方向に直交する方向に平行な複数の折り目線が形成される、請求項３記載の自動しおり。
【請求項５】
前記しおり体は前記第１ベースシート側を底辺とするニ等辺三角形形状を有する、請求項１から請求項４のいずれかに記載の自動しおり。
【請求項６】
前記しおり体は、その中央部にその外形形状に類似した小さな三角形状の開口が形成される、請求項５記載の自動しおり。
【発明の詳細な説明】
【技術分野】
【０００１】
この発明は自動しおりに関し、特に書籍のページをめくるごとに、見開いたページにしおりが自動的に繰り入れられる自動しおりに関するものである。
【背景技術】
【０００２】
図７は従来の自動しおりの全体図である。
【０００３】
図を参照して、自動しおり５０は、コーナーが丸められた四角形状を有した合成樹脂シートからできたベースシート５５と、ベースシート５５の一辺から外方向に突出して設けられた突出部５４と、突出部５４に熱溶着された合成樹脂製の短冊形状をしたしおり体５１とからなっている。ベースシート５５は、ポリエチエン、ポリプロピレン等の合成樹脂製であるため弾性があり、且つ柔軟に曲げることができる。又、突出部５４はベースシート５５の一部であり、しおり体５１は、ポリエチエンやポリプロピレン等の合成樹脂製である。そのため弾性があり且つ柔軟性を有している。このしおり体５１は、一端部の固着部５３において突出部５４と熱溶着され、他端部がベースシート５５に向かって延ばされ、ベースシート５５と向かい合うように取り付けられている。又、しおり体５１は、固着部５３の近傍が弾性体５２となっており、その弾性体５２が着色されており、その他の部分は無色透明となっている。
【０００４】
次に、この自動しおり５０の使用について説明する。
【０００５】
図８は書籍に上記の自動しおりを挟み込む状態を示した全体図であり、図９はこの自動しおりを挟んだ書籍を小口方向から見た正面図であり、図１０はこの自動しおりを挟んだ書籍のページシートをめくる状態を示した図である。
【０００６】
これらの図を参照して、自動しおり５０はベースシート５５を書籍のページの間に挟み込み、しおり体５１を大きく跳ね上げ、その次に適当量のページシート２９をベースシート５５の上に重ねた後、しおり体５１を元に戻してセットする。自動しおり５０をこのように挟むと、突出部５４が書籍の上面５６から突出した状態となり、突出部５４からしおり体５１がページ面に向かって垂れ下がった状態になる。この時見開きになったページの前にしおり体５１が被さることになるが、被さる部分は透明に形成されているためページ面を読むことに支障はない。
【０００７】
この状態で読者は、見開いたページを読み、読み終えた後１枚のページシート２９をめくる。すると図１０に示すように、ページシート２９の上方辺がしおり体５１の小口５７側の側方辺と接触する。更にページシート２９をめくると、しおり体５１は跳ね上げられる。更にページシート２９をめくると、しおり体５１の先端がページシート２９の上方辺を超える。この地点を超えるとしおり体５１は弾性力によって元の位置に戻り、新しい見開きページの紙面上に被さることになる。
【０００８】
このようにして、読者が書籍２８を通常に読むだけで、しおり体５１が自動的に移動する。そして読むことを止め書籍２８を閉じれば、常に読み進んだ最終ページにしおり体５１が挟まることになり、しおりとしての機能を自動的に発揮することになり使い勝手が良い。
【発明の開示】
【発明が解決しようとする課題】
【０００９】
上記のような従来の自動しおりでは、使用時にあってはまずベースシートを書籍の適当な箇所に挟む必要がある。しかし、ベースシートは挟まれているだけなので、その位置がずれる虞がある。
【００１０】
ベースシートがずれると図９に示したような正しい位置に対してしおり体もずれることになる。このため、安定したしおり体の機能が発揮されなくなってしまい、自動しおりとしての使い勝手が低下してしまう。
【００１１】
この発明は上記のような課題を解決されたもので、常にしおり体の位置が所望の位置に安定して保持される自動しおりを提供することを目的とする。
【課題を解決するための手段】
【００１２】
上記の目的を達成するために、請求項１記載の発明は、書籍に挟んで使用する自動しおりであって、シート状の第１ベースシートと、第１ベースシートの端縁の少なくとも一部にその端縁が折り返し自在に接続され、第１ベースシートに対向するように配置することができるシート状の第２ベースシートと、第１ベースシートに折り曲げ自在に接続され、第２のベースシートに対向する位置に延びるシート状のしおり体とを備えたものである。
【００１３】
このように構成すると、第１ベースシートと第２ベースシートとの間に書籍のページシートを挟むと、ベースシートの上端縁で第１ベースシート及び第２ベースシートとが支持される。
【００１４】
請求項２記載の発明は、請求項１記載の発明の構成において、第２ベースシートは第１ベースシートの端縁において所定距離離れた一対の第１部分に接続され、しおり体は第１ベースシートの第１部分の各々の間に位置する第２部分に接続されるものである。
【００１５】
このように構成すると、しおり体の両側において第１ベースシート及び第２ベースシートはページシートによって支持される。
【００１６】
請求項３記載の発明は、請求項１又は請求項２記載の発明の構成において、第１ベースシート、第２ベースシート及びしおり体は、１枚のシートからしおり体に対応する部分を打ち抜くことによって形成されるものである。
【００１７】
このように構成すると、１枚のシートの各部分が第１ベースシート、第２ベースシート及びしおり体の各々に対応する。
【００１８】
請求項４記載の発明は、請求項３記載の発明の構成において、シートは合成樹脂よりなり、しおり体の第１ベースシート側の連結部には、折り曲げ方向に直交する方向に平行な複数の折り目線が形成されるものである。
【００１９】
このように構成すると、連結部に弾性機能と形態保持機能とが付与される。
【００２０】
請求項５記載の発明は、請求項１から請求項４のいずれかに記載の発明の構成において、しおり体は第１ベースシート側を底辺とするほぼ二等辺三角形形状を有するものである。
【００２１】
このように構成すると、ページシートはしおり体の先端に向かって内方に傾斜する辺に沿ってめくられる。
【００２２】
請求項６記載の発明は、請求項５記載の発明の構成において、しおり体はその中央部にその外形形状に類似した小さな三角形状の開口が形成されるものである。
【００２３】
このように構成すると、しおり体の変形がより容易となる。
【発明の効果】
【００２４】
以上説明したように、請求項１記載の発明は、ページシートの上端縁で第１ベースシート及び第２ベースシートとが支持されるため、第１ベースシートの位置が一定となり、その結果しおり体の位置も常に一定となる。これによってしおり体の機能が安定して発揮され、使用時の信頼性を向上する。
【００２５】
請求項２記載の発明は、請求項１記載の発明の効果に加えて、しおり体の両側において第１ベースシート及び第２ベースシートがページシートによって支持されるため、第１ベースシートが傾く虞がなくなり、しおり体の機能がより安定して発揮される。
【００２６】
請求項３記載の発明は、請求項１又は請求項２記載の発明の効果に加えて、１枚のシートの各部分が第１ベースシート、第２ベースシート及びしおり体に対応するため、各部の接続工程等が不要となり、コスト的に有利な自動しおりとなる。
【００２７】
請求項４記載の発明は、請求項３記載の発明の効果に加えて、連結部に弾性機能と形態保持機能とが付与されるため、より効果的なしおり体が簡易に形成される。
【００２８】
請求項５記載の発明は、請求項１から請求項４のいずれかに記載の発明の効果に加えて、ページシートがしおり体の先端に向かって内方に傾斜する辺に沿ってめくられるため、ページシートをめくるに当たっての抵抗が軽減される。
【００２９】
請求項６記載の発明は、請求項５記載の発明の効果に加えて、しおり体の変形がより容易となるため、ページシートをめくるに当たっての抵抗がより軽減される。
【発明を実施するための最良の形態】
【００３０】
図１はこの発明の第１の実施の形態による自動しおりの外観形状を示した斜視図であり、図２は図１の自動しおりの展開状態を示した図である。
【００３１】
これらの図を参照して、自動しおり１３はコーナーが丸められた１枚の矩形シート形状のシート１４から形成されている。シート１４はポリエチエン、ポリプロピレン等の合成樹脂より形成されている。
【００３２】
図２に示されているように、シート１４は大きくは第１ベースシート１５の部分とシート１４の部分とに分けられており、これらの境界には折り目線が形成され、折り曲げ自在に構成されている。折り目線は具体的には両外側部分の一対の第１部分２５ａ，第１部分２５ｂと中央部の第２部分２７とから構成されている。
【００３３】
又、第２ベースシート１６の中央には、ほぼ三角形状を有するしおり体１８を構成する三角片部２０と連結部１９とが、第２ベースシート１６に対して切れ目２６を形成することによって形成されている。しおり体１８の底辺部となる連結部１９は、第１ベースシート１５に対して第２部分２７の位置で接続された状態となる。尚、連結部１９及び三角片部２０の連結部１９側の部分には、第２部分２７に対して平行な複数の折り目線２３が形成されている。尚、この実施の形態による自動しおり１３にあっては、三角片部２０は無色透明であり、他の部分は着色されているが、三角片部２０が少なくとも透明であれば良く、又他の部分も透明であっても良い。
【００３４】
このようにして自動しおり１３は１枚のシート１４から形成されている。そこで、図１に示すような製品とするためには、まず図２に示した状態から第２ベースシート１６を第１部分２５ａ，第１部分２５ｂに沿って第１ベースシート１５上に重なるように折り返す。次に残ったしおり体１８の連結部１９の部分を、折り目線２３に沿って徐々に第１ベースシート１５側に折り返す。この時連結部１９には折り目線２３が形成されているため、所望の折りぐせを容易につけることが可能となる。そして同様にしおり体１８の三角片部２０に対しても、連結部１９側に形成された折り目線に沿って三角片部２０の先端が図１に示すように第２ベースシート１６の面側に近付くように折りぐせをつける。折り目線２３に沿ってしおり体１８を折り曲げて形成することによって、しおり体１８には形態保機能と弾性機能とが付与されることになる。このようにして、図１に示した自動しおり１３が容易に完成する。
【００３５】
尚、しおり体１８の中央部にはその外形形状に類似する小さな三角形形状の開口２２が形成されている。この開口２２は後述するように自動しおり１３を使用するに当たって、しおり体１８の三角片部２０の変形をより容易にするために形成されたものである。
【００３６】
次にこの自動しおり１３の使用方法について説明する。
【００３７】
図３は図１で示した自動しおりの使用に際して行なう書籍に対する装着方法を示した斜視図である。
【００３８】
図を参照して、自動しおり１３を書籍２８に装着するに当たっては、例えば裏表紙３０の前方に位置する最後方のページシート２９に対して、これを自動しおり１３の第１ベースシート１５及び第２ベースシート１６で挟むようにして自動しおり１３を降下させる。第２ベースシート１６は第１部分２５ａ，第１部分２５ｂを介して折り返された状態となっているため、ページシート２９の上方辺がこれらの内面に当接することになる。これによって自動しおり１３は、第１部分２５ａ，第１部分２５ｂを介してページシート２９によって支持された状態となる。従って、自動しおり１３はこの状態から下方向にずれる虞はない。
【００３９】
図４は図３の状態から自動しおり１３を使用開始状態にセットした状態を示した斜視図である。
【００４０】
図を参照して、図３に示したように自動しおり１３のしおり体１８を上方に持ち上げた状態で第２ベースシート１６の前面に重なるように、開いていた一定量のページシート群３２を裏表紙３０側に戻すようにする。そしてこの状態で持ち上げられたしおり体１８をページシート群３２の前面側に接するように降ろすことによって、自動しおり１３の装着は完成する。この状態にあっても、自動しおり１３を構成する第１ベースシート１５及び第２ベースシート１６はページシート２９の上方辺によって支持された状態が変わらないため、自動しおり１３が図４の状態から下方向にずれるような虞はない。尚、上述のようにしおり体１８の三角片部は無色透明であるため、ページシート郡３２の前方のページシートに被さってもそのページ面を読むことに支障はない。
【００４１】
図５は図４で示したＶ−Ｖラインの拡大断面図である。
【００４２】
上述のようにページシート２９によって、自動しおり１３の第１ベースシート１５及び第２ベースシート１６は位置決めされた状態となるため、自動しおり１３のしおり体１８のページシート群３２の上面に対する位置関係も常に一定となる。又この状態にあっては、ページシート群３２によって自動しおり１３の第１ベースシート１５及び第２ベースシート１６は常時裏表紙３０側に押え付けられた状態となるため、自動しおり１３の取付状態がより安定する。
【００４３】
図６は、図４に示した自動しおり１３の装着状態からページシートをめくりだした状態を示した斜視図である。
【００４４】
図を参照して、ページシート群３２の前方のページシート３５をめくると、その上方辺３６はしおり体１８を構成する三角片部２０の外方側の辺に沿って移動することになる。しおり体１８の連結部１９は上述のように折り目線の効果によって弾性機能と形態保持機能とを有しているため、しおり体１８の三角片部２０はページシート３５をめくることによって上方辺３６を介して上方に持ち上げられることになる。この時、上方辺３６と接する三角片部２０の辺は内方側に傾斜するように構成されているため、三角片部２０はスムーズに上方に持ち上がることになる。
【００４５】
ページシート３５を完全にめくり終わると、しおり体１８の三角片部２０は、連結部１９の機能によって図４に示したような元の位置に復帰する。これによって以後同様にページシート群３２をめくることによって、しおり体１８の三角片部２０は常に最新のページの上に位置することになり、しおりとしての機能を自動的に発揮する。
【００４６】
そして、ページシート群３２をいずれの位置までめくった状態にあっても、しおり体１８のページシート群３２に対する位置関係は、図５に示した状態から変わることはない。従って、しおり体１８は常に安定したしおりとしての機能を発揮するため使い勝手が向上する。
【００４７】
尚、この実施の形態におけるしおり体１８には開口２２が形成されているため、それがないものに比べて三角片部２０の変形はより容易となる。従って、第１ベースシート１５及び第２ベースシート１６の位置決め機能とあいまって、ページシートのめくりによるしおり体１８に加わる力が軽減されるため、自動しおり１３の取付状態がより安定することになる。
【００４８】
尚、上記の実施の形態では、第２ベースシートは１対の第１の部分の各々を介して第１ベースシートに接続されているが、片側の部分のみ接続されるように構成しても良い。この場合、自動しおりは若干傾きやすくなるが、ページシートに支持される状態は維持されるため、装着状態は安定する。
【００４９】
又、上記の実施の形態では、第１ベースシート、第２ベースシート及びしおり体は１枚の合成樹脂シートから形成されているが、これに限らず各部分がそれぞれ別体で構成され、互いに接続するように構成しても同様の効果を奏する。又、第１ベースシートと第２ベースシートとは１枚のシートより構成し、しおり体だけを別体としてこれらに接続するように構成しても良い。
【００５０】
更に、上記の実施の形態では、しおり体を特定形状としているが、この形状は他の形状でも良く、従来例で示したようなしおり体の形状であっても良い。
【００５１】
更に、上記の実施の形態では、しおり体は切れ目の位置でシートから打ち抜かれたものとなっているが、第２ベースシートに残る開口はしおり体より大きな形状であっても同様の効果を奏する。
【００５２】
更に、上記の実施の形態では、第１ベースシートの１対の第１部分の各々に第２ベースシートが接読しているが、第２ベースシートが２枚のシートに分離され、各々が第１部分の各々に接続するように構成しても同様の効果を奏する。
【００５３】
更に、上記の実施の形態では、第１ベースシート及び第２ベースシートの各々は背表紙側まで押し込むようには装着されていないが、これらの形状を大きくして背表紙側に押し込むように使用できるように構成すれば、より装着状態が安定する。
【図面の簡単な説明】
【００５４】
【図１】この発明の第１の実施の形態による自動しおりの外観形状を示した斜視図である。
【図２】図１で示した自動しおりの展開状態を示した正面図である。
【図３】図１で示した自動しおりの装着の開始状態を示した斜視図である。
【図４】図１で示した自動しおりの装着の完了状態を示した斜視図である。
【図５】図４で示したＶ−Ｖラインの拡大断面図である。
【図６】図４で示した自動しおりの装着状態からページシートをめくっている状態を示した斜視図である。
【図７】従来の自動しおりの外観形状を示した斜視図である。
【図８】図７で示した自動しおりの装着途中を示した斜視図である。
【図９】図７で示した自動しおりの装着状態を示した拡大側面図である。
【図１０】図７で示した自動しおりの使用状態を示した斜視図である。
【符号の説明】
【００５５】
１３…自動しおり
１４…シート
１５…第１ベースシート
１６…第２ベースシート
１８…しおり体
２０…三角片部
２３…折り目線
２５…第１部分
２７…第２部分
２８…書籍
尚、各図中同一符号は同一又は相当部分を示す。
【図１】
2005262786.tif 000003
【図２】
2005262786.tif 000004
【図３】
2005262786.tif 000005
【図４】
2005262786.tif 000006
【図５】
2005262786.tif 000007
【図６】
2005262786.tif 000008
【図７】
2005262786.tif 000009
【図８】
2005262786.tif 000010
【図９】
2005262786.tif 000011
【図１０】
2005262786.tif 000012